(57)【要約】【課題】複数心の光ファイバ心線をケーブル外被内に収納してなる光ファイバケーブルにおいて、ケーブル外被を引き裂いたときに、光ファイバ心線がケーブル外被内に残らないようにする。【解決手段】光ファイバケーブル１は、複数の光ファイバ心線からなる光ファイバ心線束３と、光ファイバ心線束３を挟んで略平行に配設された２本の抗張力線４と、光ファイバ心線束３及び２本の抗張力線４を一体で被覆するケーブル外被２とを有し、ケーブル外被２の軸方向に光ファイバ心線束３を挟んで切裂きノッチ７が形成されている。光ファイバ心線束３は、複数の光ファイバ心線が２本の抗張力線４の中心を結ぶ線分（ＸＸ′）に対して非対称になるように配置され、切裂きノッチ７は、光ファイバ心線束３を構成する光ファイバ心線のうち、抗張力線４近傍に配置され且つ切裂きノッチ７の最も近くに配置された光ファイバ心線３ａ，３ｂに向かって切り込み８が設けられている。【選択図】図１
2006267600.tif 000002
【特許請求の範囲】
【請求項１】
複数の光ファイバ心線からなる光ファイバ心線束と、該光ファイバ心線束を挟んで平行に配設された２本の抗張力線と、前記光ファイバ心線束及び前記２本の抗張力線を一体に被覆するケーブル外被とを有し、該ケーブル外被の軸方向に前記光ファイバ心線束を挟んで切裂きノッチが形成された光ファイバケーブルであって、
前記光ファイバ心線束は、前記複数の光ファイバ心線が前記２本の抗張力線の中心を結ぶ中心軸に対して非対称になるように配置され、前記切裂きノッチは、前記光ファイバ心線束を構成する光ファイバ心線のうち、前記抗張力線近傍に配置され且つ前記切裂きノッチの最も近くに配置された光ファイバ心線に向かって切り込みが設けられていることを特徴とする光ファイバケーブル。
【請求項２】
前記光ファイバ心線束を構成する各光ファイバ心線が少なくとも１本の他の光ファイバ心線と接するように配置されていることを特徴とする請求項１に記載の光ファイバケーブル。
【請求項３】
前記抗張力線近傍に配置され且つ前記切裂きノッチの最も近くに配置された２本の光ファイバ心線は、該２本の光ファイバ心線の中心を結ぶ線分が前記中心軸と交差するように配置されていることを特徴とする請求項１又は２に記載の光ファイバケーブル。
【請求項４】
前記切裂きノッチの断面形状は、台形状あるいはＶ字状に形成されていることを特徴とする請求項１又は２に記載の光ファイバケーブル。
【請求項５】
前記光ファイバケーブルを支持するための支持線と、該支持線を被覆する支持線被覆とを有し、該支持線被覆は、前記ケーブル外被と一体で形成されていることを特徴とする請求項１〜４のいずれか１項に記載の光ファイバケーブル。
【請求項６】
前記複数の光ファイバ心線は、テープ状に一体化して形成されていることを特徴とする請求項１〜５のいずれか１項に記載の光ファイバケーブル。
【請求項７】
前記テープ状に形成された光ファイバ心線は、前記中心軸に対して傾いて配置されていることを特徴とする請求項６に記載の光ファイバケーブル。
【発明の詳細な説明】
【技術分野】
【０００１】
本発明は、複数心の光ファイバを被覆樹脂内に収納し、切裂きノッチを引裂いて光ファイバを取り出す形態の光ファイバケーブルに関する。
【背景技術】
【０００２】
従来、光通信網の端末に近い領域において、２心から２０心程度の光ファイバ線路を布設するのに用いられる光ファイバケーブルとして、光ファイバを屋外の配線系からマンションなどの建造物の屋内に引き落とすのに用いるドロップ光ファイバケーブルや、構内ＬＡＮ配線などの屋内の光配線に用いるインドア光ファイバケーブルなどが知られている。布設距離は数ｍから数百ｍと比較的短く、分岐や接続といった端末処理作業が重要な端末系線路である。また、端末でいくつかの機器に分岐して用いられることが多いため、単心線や、２心、４心といった比較的少ない本数の光ファイバ心線が複数用いられることが多い。
【０００３】
上述したドロップ光ファイバケーブルの中には、光ファイバ心線を被覆する被覆樹脂（ケーブル外被）に、Ｖ字状あるいは台形状の切裂きノッチを形成し、ケーブル外被中の光ファイバ心線を取り出し易くしたものがある。この切裂きノッチに切込みを入れ、両側に引裂くことにより光ファイバケーブル内の光ファイバ心線を容易に取り出すことができる。
【０００４】
図１１は、従来の光ファイバケーブルの一例を示す図である。図中、１００は光ファイバケーブルで、該光ファイバケーブル１００は、複数の光ファイバ心線１０１ａからなる光ファイバ心線束１０１と、光ファイバ心線束１０１を被覆するケーブル外被１０２と、ケーブル外被１０２に埋設された抗張力線１０３と、光ファイバケーブル１００を支持する支持線１０４と、支持線１０４を被覆する支持線被覆１０５と、ケーブル外被１０２と支持線被覆１０５をつなぐ首部１０６と、ケーブル外被１０２の表面軸方向に設けられた切裂きノッチ１０７と、から構成されている。図１１（Ａ）においてＣ部は切裂きノッチ１０７を引き裂いたときの破断箇所を示す。また、図１１（Ｂ）は切裂きノッチ１０７でケーブル外被１０２が両側に引き裂かれたときの状態を示す。
【０００５】
本例に示す光ファイバケーブル１００は、８本の光ファイバ心線１０１ａをＨの字型に並べて光ファイバ心線束１０１を形成し、ケーブル外被１０２の表面略中央に断面台形状の切裂きノッチ１０７を設けている。断面台形状の切裂きノッチ１０７の場合、ケーブル外被１０２の切込み位置（裂け目）が安定しないため、図１１（Ｂ）に示すように、ケーブル外被１０２の裂け方によっては一部の光ファイバ心線１０１ａが取り出せずに残ることがある。
【０００６】
また、図１２は、従来の光ファイバケーブルの他の例を示す図である。図１２（Ａ）においてＣ部は切裂きノッチ１０７を引き裂いたときの破断箇所を示す。図１２（Ｂ）は切裂きノッチ１０７でケーブル外被１０２が両側に引き裂かれたときの状態を示す。本例に示す光ファイバケーブル１００は、４本の光ファイバ心線１０１ａをテープ状に一体化したものを上下２段（光ファイバ心線１０１ａは合計８本）に並べて光ファイバ心線束１０１を形成している。また、ケーブル外被１０２の表面略中央には断面台形状の切裂きノッチ１０７が設けられている。この場合、両側に引っ張られたケーブル外被１０２の破断部分（破断箇所Ｃ）は、伸びながら破断するため、光ファイバ心線束１０１は、光ファイバ心線１０１ａを覆うテープの表面がケーブル外被１０２により擦られながら引き出され、テープ表面に傷をつけてしまうという問題がある。
【０００７】
また、図１３は、従来の光ファイバケーブルの他の例を示す図である。本例に示す光ファイバケーブル１００は、前述の図１１と同様に、８本の光ファイバ心線１０１ａをＨの字型に並べて光ファイバ心線束１０１を形成しているが、断面台形状の切裂きノッチではなく、断面Ｖ字状の切裂きノッチ１０７が設けられている。断面Ｖ字状の切裂きノッチ１０７の場合、ケーブル外被１０２の中心から裂けるが、両側の光ファイバ心線１０１ａを取り出しにくいという問題がある。
【０００８】
このような端末系線路において、光ケーブルの伝送損失のわずかな差異は、伝送距離が短いため問題とはならず、むしろ端末作業の容易さが重要となる。従来構造の光ケーブルでは、図１１乃至図１３に示したように、切裂きノッチが光ファイバケーブル表面の略中央部ないしその周囲に設けられ、収容する光ファイバ心線が１本の場合は分岐取り出しの際の問題は生じていなかったが、多本数の光ファイバ心線を収容した場合には、ケーブル外被の引き裂き時に一部の光ファイバ心線がケーブル外被内に残ってしまうという問題があった。
【０００９】
ここで、光ファイバ心線数が１本ないし２本の光ファイバについては、上述したような光ファイバ心線が残る問題を避けるため、切裂きノッチを光ファイバケーブルの中心軸（２本の抗張力体の中心を結ぶ直線に相当）に非対称に設けることが知られていた（例えば、特許文献１参照）。
【特許文献１】特開平１０−３０１００２号公報
【発明の開示】
【発明が解決しようとする課題】
【００１０】
しかしながら、上記特許文献１に記載の発明を、光ファイバ心線が光ファイバケーブルの中心軸（２本の抗張力体の中心を結ぶ直線に相当）に対して対称に配置された多心数の光ファイバケーブルに適用した場合、切裂きノッチのない側の光ファイバ心線がケーブル外被から取り出されずに残ってしまうという問題が生じていた。
【００１１】
本発明は、上述したごとくの実情に鑑みてなされたもので、複数心の光ファイバ心線をケーブル外被内に収納してなる光ファイバケーブルにおいて、ケーブル外被を引き裂いたときに、光ファイバ心線がケーブル外被内に残らないようにすることを目的とする。
【課題を解決するための手段】
【００１２】
本発明による光ファイバケーブルは、複数の光ファイバ心線からなる光ファイバ心線束と、光ファイバ心線束を挟んで平行に配設された２本の抗張力線と、光ファイバ心線束及び２本の抗張力線を一体に被覆するケーブル外被とを有する。ケーブル外被の軸方向に光ファイバ心線束を挟んで切裂きノッチが形成され、光ファイバ心線束は、複数の光ファイバ心線が２本の抗張力線の中心を結ぶ中心軸に対して非対称になるように配置される。切裂きノッチは、光ファイバ心線束を構成する光ファイバ心線のうち、抗張力線近傍に配置され且つ切裂きノッチの最も近くに配置された光ファイバ心線に向かって切り込みが設けられる。光ファイバ心線束を構成する各光ファイバ心線は、少なくとも１本の他の光ファイバ心線と接するように配置される。
【発明の効果】
【００１３】
本発明によれば、複数心の光ファイバ心線をケーブル外被内に収納してなる光ファイバケーブルにおいて、ケーブル外被を引き裂いたときに、光ファイバがケーブル外被内に残らないように取り出すことができるため、端末作業を容易に行うことができる。
【発明を実施するための最良の形態】
【００１４】
図１は、本発明の実施形態である光ファイバケーブルの一例を示す図である。図中、１は光ファイバケーブルで、該光ファイバケーブル１は、ケーブル外被２、光ファイバ心線束３、抗張力線４、支持線５、支持線被覆６から構成されている。光ファイバケーブル１は、ケーブル外被２の略中心部に８本の光ファイバ心線からなる光ファイバ心線束３をケーブル外被２で直接被覆して構成される。本発明における光ファイバ心線束３を構成する各光ファイバ心線は、例えば、標準外径が約０．１２５ｍｍのガラスファイバを、外径が約０．２５ｍｍ程度の被覆樹脂で保護した光ファイバ素線、あるいは、光ファイバ素線上に着色材を塗布したり、補強被覆を追加的に施した単心の光ファイバ心線を対象としている。
【００１５】
光ファイバケーブル１において、光ファイバ心線束３を構成する複数の光ファイバ心線が２本の抗張力線４の中心を結ぶ中心軸ＸＸ′に対して非対称になるように配置される。本実施形態では、光ファイバ心線束３を構成する各光ファイバ心線を上下２段にして縦方向の配置を光ファイバ心線の半径分ずらしてジグザグに配置している。
【００１６】
また、ケーブル外被２の上下面の略中央に断面台形状の切裂きノッチ７が設けられ、この切裂きノッチ７には、ケーブル外被２の切込み位置（裂け目）を安定させるために、切り込み８が形成されている。この切り込み８は、光ファイバ心線束３を構成する光ファイバ心線のうち、抗張力線４の近傍に配置され、且つ、切裂きノッチ７の最も近くに配置された光ファイバ心線３ａ，３ｂに向かって設けられている。なお、図１（Ａ）においてＣ部は切裂きノッチ１０７を引き裂いたときの破断箇所を示す。図１（Ｂ）は図１（Ａ）に示す光ファイバケーブル１のＢ部を拡大した拡大図である。
【００１７】
本発明において、「光ファイバ心線束をケーブル外被で直接被覆する」とは、光ファイバ心線束３の外周にケーブル外被２を形成するための樹脂を、ダイス又はクロスヘッドを用いた押出被覆装置でタイト構造あるいはルース構造で直接付与して、光ファイバ心線束を被覆する状態をいう。言いかえると、光ファイバ心線束３の表面にケーブル外被２が直接接触する状態で被覆されていることをいう。
【００１８】
また、光ファイバケーブル１を自己支持型とした場合、支持線５を備えた構成とすることができる。この支持線５は、例えば、約２．３ｍｍφの鋼線からなり、支持線被覆６をケーブル外被２と一体に成形する。また、この支持線部分は、ケーブル外被２内に配設した２本の抗張力線４の中心を結んだ軸線の延長上に設ける。すなわち、支持線５と２本の抗張力線４の中心が一直線上に設けられる。なお、この支持線部分の有無に関わらず、屋内用又はドロップ用の光ファイバケーブルとして使用することができる。以下、本発明を、支持線部分を含む光ファイバケーブルに適用した場合を代表例として説明するが、支持線部分を含まない光ファイバケーブルに対して適用できるのは言うまでもない。
【００１９】
図１（Ａ）において、光ファイバケーブル１は、支持線５と２本の抗張力線４が同じ直線上にくるように配置され、複数心からなる光ファイバ心線束３が２本の抗張力線４の間に配置されている。ケーブル外被２は、両端縁側に抗張力線４を略平行に埋設し、２本の抗張力線４の間に光ファイバ心線束３を設け、光ファイバ心線束３を挟んで断面台形状の切裂きノッチ７が形成され、さらに、各切裂きノッチ７の一端には切り込み８が形成されている。この切裂きノッチ７及び切り込み８は、光ファイバ心線束３を取り出すために形成されたもので、切り込み８から引裂くことにより、光ファイバ心線束３を容易に取り出すことができる。
【００２０】
また、光ファイバ心線束３を構成する各光ファイバ心線は、少なくとも１本の他の光ファイバ心線と接するよう配置される。これにより、光ファイバ心線間に被覆樹脂が埋め込まれて光ファイバ心線が孤立することがなく、光ファイバ心線の取り出しが容易となる。
【００２１】
光ファイバ心線束３を構成する光ファイバ心線のうち、２本の光ファイバ心線３ａ及び３ｂが、２本の抗張力線４の中心を結ぶ中心軸ＸＸ′に対して反対側に配置される。すなわち、２本の光ファイバ心線３ａと３ｂは、光ファイバ心線３ａ，３ｂの中心を結ぶ線分が２本の抗張力線４の中心を結ぶ中心軸ＸＸ′と交差するように配置されている。このように、光ファイバ心線３ａと３ｂを対角の位置関係にあるように配置することにより、引き裂き性を向上させることができる。
【００２２】
前述したように、一方（図中下側）の切裂きノッチ７の上底側には、光ファイバ心線３ｂの近傍位置から、光ファイバ心線３ｂに向かって切り込み８が設けられ、他方（図中上側）の切裂きノッチ７の下底側には、光ファイバ心線３ａの近傍位置から、光ファイバ心線３ａに向かって切り込み８が設けられている。これにより、ケーブル外被２の切込み位置（裂け目）を安定させることができる。この切り込み８で引き裂いたときの光ファイバケーブル１の状態を図１（Ｃ）に示す。
【００２３】
図１（Ｃ）は、図１（Ａ）に示した光ファイバケーブル１を切り込み８の部分で引き裂いたときの状態を示す図である。このように、光ファイバケーブル１を切り込み８の部分で引き裂いたときに、非対称に裂けるので光ファイバ心線束３を残らず取り出すことができる。また、各光ファイバ心線は互いに接するように配置されているため、光ファイバ心線間に被覆樹脂が埋め込まれて光ファイバ心線が孤立することがなく、光ファイバ心線の取り出しが容易となる。また、光ファイバ心線を中心軸ＸＸ′に対して非対称（例えばジグザグ）に配置することにより、切り込み８と光ファイバ心線（光ファイバ心線３ａ，３ｂ）までの距離を短くできるため、切り裂ける位置が安定するという効果を奏する。
【００２４】
図２は、光ファイバ心線束をジグザグ配置するための押出成型機により成型されるケーブル外被の断面形状の一例を示す図である。図中、９は支持線５の挿通孔、１０は抗張力線４の挿通孔、１１は光ファイバ心線束３の挿通孔を示す。なお、これらの挿通孔は、押出成型機へニップル（又はポイント）を設けたガイド穴によって所定の配置関係が得られる。なお、ケーブル外被の外形面は、ダイスによって所定の形状にすることができる。図１（Ａ）に示した単心８Ｃ２列２段型の例である。光ファイバ心線束３を構成する各光ファイバ心線を、図１（Ａ）に示したようにジグザグに配置するための方法として、ケーブル外被２に断面形状が段違いの長円である挿通孔１１が得られるようにガイド穴を形成し、光ファイバ心線束３を案内する。この際、光ファイバ心線用のガイド穴の長円の長径及び短径は以下の式により決定することができる。
長径：（Ｄ＋α）×２  …式（１）
短径：（Ｄ＋α）×１  …式（２）
但し、Ｄは光ファイバ心線の外径、αは０．０２〜０．１、長径側は光ファイバ心線２本分、短径側は光ファイバ心線１本分とする。
【００２５】
ここで、従来のガイド穴の形状として、楕円または角形などが考えられるが、この場合、光ファイバ心線が横に並ぶので光ファイバケーブルの幅（高さ）が広がってしまっていた。また、切裂きノッチの下に光ファイバ心線がない場合があるので引き裂く位置が安定しなかった。
【００２６】
これに対して、本発明のように、光ファイバ心線をジグザグ配置にした場合、従来のような横並び配置にした場合と比較して光ファイバケーブルの幅（高さ）を短くすることができる。また、切裂きノッチの下に光ファイバ心線がくるように構成されているため、切裂く位置を安定させることができる。また、ガイド穴の断面形状を段違いの長円で構成することにより、光ファイバ心線をジグザグに安定して配置できるため、本発明の光ファイバケーブルを、品質を安定させて製造することが可能となる。
【００２７】
図３は、本発明の光ファイバケーブルにおける光ファイバ心線の配置例を示す図である。図３（Ａ）〜図３（Ｇ）に示すように、本発明の光ファイバケーブルは、光ファイバ心線を中心軸ＸＸ′に対して非対称に配置できればよく、様々な配置パターンが想定される。図３（Ａ）は８本の光ファイバ心線を上下２段にして横方向の配置を光ファイバ心線の半径分ずらして配置した例である。図３（Ｂ）は２本の光ファイバ心線を斜めに配置した例である。図３（Ｃ）は８本の光ファイバ心線を上下２段にして縦方向の配置を光ファイバ心線の半径分ずらしてジグザグに配置した例である（図１と同じ構成）。図３（Ｄ）は８本の光ファイバ心線を上下２段にして横方向の配置を光ファイバ心線の直径分ずらして配置した例である。
【００２８】
また、図３（Ｅ）は複数の光ファイバ心線をテープ状に一体化したテープ心線を上下２段にして横方向にずらして配置した例を示し、図３（Ｆ）はテープ心線を斜めに配置した例を示し、図３（Ｇ）はテープ心線を上下３段にして横方向にずらして配置した例を示す。
【００２９】
図４は、本発明の他の実施形態である光ファイバケーブルの一例を示す図である。本実施形態の光ファイバ心線束３は、複数本の光ファイバ心線をテープ状に一体化したものである。ここでは、４心のテープ状の光ファイバ心線を上下２段にして横方向の配置を光ファイバ心線の半径分ずらし、さらに、中心軸ＸＸ′に対して角度θだけ傾けて配置した例を示す。この角度θは、光ファイバケーブルの大きさや形状に応じて適切に決定されればよいが、約０．０５°〜２０°の範囲にすることが好ましい。このように、光ファイバ心線束３を中心軸ＸＸ′に対して傾けて配置することにより、切り込み８と光ファイバ心線３ａ，３ｂとの距離が短くなり、引き裂き性が向上する。図４（Ａ）においてＣ部は切裂きノッチ７を引き裂いたときの破断箇所を示す。図４（Ｂ）は図４（Ａ）に示す光ファイバケーブル１を切り込み８で引き裂いたときの状態を示す。
【００３０】
従来、ケーブル外被の略中央に断面台形状の切裂きノッチを設けた場合、切裂きノッチを引き裂くときに、破断部樹脂が伸びながら破断するため、複数の光ファイバ心線をカバーするテープ表面に傷がつくことがあったが、本実施形態のように構成することにより、図４（Ｂ）に示すように、破断部樹脂が伸びることが無くなり、テープ表面に傷をつけずに、容易に光ファイバ心線を取り出すことができる。
【００３１】
図５は、本発明の他の実施形態である光ファイバケーブルの一例を示す図である。本実施形態において、光ファイバ心線束３は、図４と同様に、複数本の光ファイバ心線をテープ状に一体化したものである。また、光ファイバケーブル１は、切裂きノッチ７の一端７ａに角度をつけて引き裂きやすい形状にし、他端７ｂに滑らかなカーブ等をつけて引き裂きにくい形状にしている。これにより、光ファイバケーブル１は、切裂きノッチ７で引き裂くときに、一端７ａから引き裂けるため、図４と同様に破断箇所Ｃで破断し、同様の効果を得ることができる。
【００３２】
本発明の光ファイバケーブルの他の実施形態を以下の図６乃至図１０に示す。尚、支持線部分（支持線５、支持線被覆６）の記載は省略する。また、図６乃至図１０において、Ｃ部は切裂きノッチ７から引き裂いたときの破断箇所を示す。
【００３３】
図６（Ａ）は２本の光ファイバ心線からなる光ファイバ心線束３を配置した例を示す。本例では切裂きノッチ７の断面形状がＶ字状に形成され、２本の光ファイバ心線が中心軸ＸＸ′に対して斜めに傾けて配置されている。図６（Ａ）のＢ部を拡大した状態を図６（Ｂ）に示す。また、図６（Ｃ）は図６（Ａ）に示す光ファイバケーブル１を切裂きノッチ７で引き裂いたときの状態を示す。
【００３４】
図７（Ａ）は４本の光ファイバ心線からなる光ファイバ心線束３を配置した例を示す。本例では切裂きノッチ７の断面形状が台形状に形成され、４本の光ファイバ心線を中心軸ＸＸ′の両側に横方向の配置を光ファイバ心線の半径分ずらして２列に配置されている。また、同様に、図７（Ｂ）は４本の光ファイバ心線からなる光ファイバ心線束３を配置した例を示す。本例では切裂きノッチ７の断面形状が台形状に形成され、４本の光ファイバ心線を中心軸ＸＸ′の両側に縦方向の配置を光ファイバ心線の半径分ずらして配置されている。
【００３５】
図８は１２本の光ファイバ心線からなる光ファイバ心線束３を配置した例を示す。本例では切裂きノッチ７の断面形状が台形状に形成され、１２本の光ファイバ心線を中心軸ＸＸ′に対して光ファイバ心線の半径分ずらしてジグザグに配置されている。
【００３６】
図９は２本の光ファイバ心線をテープ状に一体化した光ファイバ心線束３を配置した例を示す。本例では切裂きノッチ７の断面形状がＶ字状に形成され、テープ状に一体化された２本の光ファイバ心線が中心軸ＸＸ′に対して斜めに傾けて配置されている。
【００３７】
図１０は４本の光ファイバ心線をテープ状に一体化した光ファイバ心線束３を配置した例を示す。本例では切裂きノッチ７の断面形状が台形状に形成され、テープ状に一体化された４本の光ファイバ心線が中心軸ＸＸ′に対して斜めに傾けて配置されている。
【００３８】
図６乃至図１０に示した各実施形態において、光ファイバケーブルを切裂きノッチで引き裂いたときに、非対称に裂けるので光ファイバ心線を残らず取り出すことができる。また、各光ファイバ心線は互いに接するように配置されているため、光ファイバ心線間に被覆樹脂が埋め込まれて光ファイバ心線が孤立することがなく、光ファイバ心線の取り出しが容易となる。また、光ファイバ心線を２本の抗張力線の中心を結ぶ中心軸に対して非対称（例えば、ジグザグ、傾斜など）に配置することにより、切裂きノッチと光ファイバ心線までの距離を短くできるため、切り裂ける位置が安定するという効果を奏する。
【００３９】
尚、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。
【図面の簡単な説明】
【００４０】
【図１】本発明の実施形態である光ファイバケーブルの一例を示す図である。
【図２】光ファイバ心線束をジグザグ配置するための押出成型機により成型されるケーブル外被の断面形状の一例を示す図である。
【図３】本発明の光ファイバケーブルにおける光ファイバ心線の配置例を示す図である。
【図４】本発明の他の実施形態である光ファイバケーブルの一例を示す図である。
【図５】本発明の他の実施形態である光ファイバケーブルの一例を示す図である。
【図６】本発明の光ファイバケーブルの他の実施形態を示す図である。
【図７】本発明の光ファイバケーブルの他の実施形態を示す図である。
【図８】本発明の光ファイバケーブルの他の実施形態を示す図である。
【図９】本発明の光ファイバケーブルの他の実施形態を示す図である。
【図１０】本発明の光ファイバケーブルの他の実施形態を示す図である。
【図１１】従来の光ファイバケーブルの一例を示す図である。
【図１２】従来の光ファイバケーブルの他の例を示す図である。
【図１３】従来の光ファイバケーブルの他の例を示す図である。
【符号の説明】
【００４１】
１，１００…光ファイバケーブル、２，１０２…ケーブル外被、３，１０１…光ファイバ心線束、３ａ，３ｂ，１０１ａ…光ファイバ心線、４，１０３…抗張力線、５，１０４…支持線、６，１０５…支持線被覆、７，１０７…切裂きノッチ、８…切り込み、９，１０，１１…挿通孔。
【図１】
2006267600.tif 000003
【図２】
2006267600.tif 000004
【図３】
2006267600.tif 000005
【図４】
2006267600.tif 000006
【図５】
2006267600.tif 000007
【図６】
2006267600.tif 000008
【図７】
2006267600.tif 000009
【図８】
2006267600.tif 000010
【図９】
2006267600.tif 000011
【図１０】
2006267600.tif 000012
【図１１】
2006267600.tif 000013
【図１２】
2006267600.tif 000014
【図１３】
2006267600.tif 000015